【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
主画像データと、前記主画像データに対応するサムネイル画像データとを、モニタに表示させるためのプログラムであって、
前記主画像データを取得するための機能と、
前記主画像データを、前記主画像データの色空間から前記モニタに適した色空間へ変換し、前記モニタに表示させるための機能と、
前記サムネイル画像データを、前記モニタに適した色空間へ変換せずに、前記モニタに表示させるための機能と、
をコンピュータに実現させるプログラム。
【請求項２】
前記主画像データの色空間は、前記主画像データが生成される時に使用された色空間である請求項１に記載のプログラム。
【請求項３】
前記主画像データの色空間は、前記主画像データに関連した色空間情報により表される請求項１または請求項２に記載のプログラム。
【請求項４】
前記色空間情報は、ｓＲＧＢ以外の色空間を表す請求項３に記載のプログラム。
【請求項５】
前記ｓＲＧＢ以外の色空間は、ＡｄｏｂｅＲＧＢの色空間である請求項４に記載のプログラム。
【請求項６】
ＪＰＥＧ圧縮データの形式を有する前記主画像データを取得する請求項１ないし請求項５のいずれかに記載のプログラム。
【請求項７】
前記ＪＰＥＧ圧縮データの形式を有する前記主画像データの色空間は、ＹＣｒＣｂの色空間である請求項６に記載のプログラム。
【請求項８】
前記主画像データは、デジタルカメラにおいて生成される請求項１ないし請求項７のいずれかに記載のプログラム。
【請求項９】
主画像データと、前記主画像データに対応するサムネイル画像データとを、モニタに表示させるデータ処理部であって、
前記主画像データを取得するための手段と、
前記主画像データを、前記主画像データの色空間から前記モニタに適した色空間へ変換し、前記モニタに表示させるための手段と、
前記サムネイル画像データを、前記モニタに適した色空間へ変換せずに、前記モニタに表示させるための手段と、
を備えるデータ処理部。
【請求項１０】
主画像データと、前記主画像データに対応するサムネイル画像データとを表示するモニタであって、
前記主画像データを取得するための手段と、
前記主画像データを、前記主画像データの色空間から前記モニタに適した色空間へ変換し、表示し、前記サムネイル画像データを、前記モニタに適した色空間へ変換せずに、表示する手段と、
を備えるモニタ。
【請求項１１】
主画像データと、前記主画像データに対応するサムネイル画像データとを、モニタに表示させるデジタルカメラであって、
撮像手段と、
前記主画像データを取得するための手段と、
前記主画像データを、前記主画像データの色空間から前記モニタに適した色空間へ変換し、前記モニタに表示させるための手段と、
前記サムネイル画像データを、前記モニタに適した色空間へ変換せずに、前記モニタに表示させるための手段と、
を備えるデジタルカメラ。
【請求項１２】
主画像データと、前記主画像データに対応するサムネイル画像データとを、モニタに表示させるプリンタであって、
印刷手段と、
前記主画像データを取得するための手段と、
前記主画像データを、前記主画像データの色空間から前記モニタに適した色空間へ変換し、前記モニタに表示させるための手段と、
前記サムネイル画像データを、前記モニタに適した色空間へ変換せずに、前記モニタに表示させるための手段と、
を備えるプリンタ。
【手続補正２】
【補正対象書類名】明細書
【補正対象項目名】０００６
【補正方法】変更
【補正の内容】
【０００６】
上記目的の少なくとも一部を達成するために、本発明の一形態によるプログラムは、主画像データと、前記主画像データに対応するサムネイル画像データとを、モニタに表示させるためのプログラムであって、
前記主画像データを取得するための機能と、
前記主画像データを、前記主画像データの色空間から前記モニタに適した色空間へ変換し、前記モニタに表示させるための機能と、
前記サムネイル画像データを、前記モニタに適した色空間へ変換せずに、前記モニタに表示させるための機能と、
をコンピュータに実現させるプログラムである。
なお、前記主画像データの色空間は、前記主画像データが生成される時に使用された色空間としてもよい。
また、前記主画像データの色空間は、前記主画像データに関連した色空間情報により表されるものとしてもよい。
また、前記色空間情報は、ｓＲＧＢ以外の色空間を表すものとしてもよい。
また、前記ｓＲＧＢ以外の色空間は、ＡｄｏｂｅＲＧＢの色空間であるとしてもよい。
また、上記プログラムは、ＪＰＥＧ圧縮データの形式を有する前記主画像データを取得するものとしてもよい。
また、前記ＪＰＥＧ圧縮データの形式を有する前記主画像データの色空間は、ＹＣｒＣｂの色空間であるとしてもよい。
また、前記主画像データは、デジタルカメラにおいて生成されるものとしてもよい。
本願発明は、プログラムの他に、データ処理部、モニタ、デジタルカメラ、あるいはプリンタとしても実現可能である。
また、本発明は、以下の形態としても実現可能である。本発明の第１の画像再生装置は、画像データと、前記画像データに関連する色空間を表す色空間識別情報と、が互いに対応付けられた画像データセットに基づいて画像を再生する装置である。前記色空間識別情報は、所定の標準色空間と他の特定色空間とを含む複数の色空間のうちのいずれであるかを示すことが可能である。前記画像再生装置は、前記画像データを処理対象画像データとして選択し、前記処理対象画像データに色空間の変換を含む処理を実行して再生用画像データを生成するデータ処理部と、前記再生用画像データに応じて視認可能に画像を出力する画像出力装置と、を備える。前記データ処理部は、前記色空間識別情報で指定された色空間を判別する色空間判別部と、前記特定色空間を利用せずに前記処理対象画像データに対して色空間変換を行う基本色空間変換の機能と、前記特定色空間を利用して前記処理対象画像データの色空間を前記画像出力装置に適した装置依存色空間に変換する装置依存色空間変換の機能と、を有する色空間変換部と、を有している。また、前記データ処理部は、（ｉ）前記色空間識別情報で指定された色空間が前記標準色空間である場合には、前記処理対象画像データに対して前記基本色空間変換を行って前記再生用画像データを生成し、（ｉｉ）前記色空間識別情報で指定された色空間が前記特定色空間である場合には、前記処理対象画像データに対して前記装置依存色空間変換を行って前記再生用画像データを生成する。
【手続補正３】
【補正対象書類名】明細書
【補正対象項目名】００２９
【補正方法】変更
【補正の内容】
【００２９】
データ伸長部２２２は、処理対象となる圧縮画像データ（主画像データＭＭまたはサムネイル画像データＴＭ）を伸長して、伸長データＭＭａを生成する。良く知られているように、ＪＰＥＧ圧縮データは、ＹＣｒＣｂ色空間で表現されている。
【手続補正４】
【補正対象書類名】明細書
【補正対象項目名】００３０
【補正方法】変更
【補正の内容】
【００３０】
第１色空間変換部２２４は、この伸長データＭＭａに対して基本マトリクスＭＸ１を用いて色空間変換を実行し、ＲＧＢ色空間の画像データＭＭｂを生成する。基本マトリクスＭＸ１は、ＹＣｒＣｂ色空間をＲＧＢ色空間に変換するためのマトリクスＭＸ１であり、データ伸長部２２２内に予め登録されている。この第１色空間変換部２２４で生成された画像データＭＭｂは、色空間タグＣＳＴで指定された色空間で表現されたデータとなる。すなわち、指定色空間が標準色空間ｓＲＧＢである場合には、画像データＭＭｂは標準色空間ｓＲＧＢで表現されたデータになり、指定色空間が拡張色空間ｗＲＧＢである場合には画像データＭＭｂは拡張色空間ｗＲＧＢで表現されたデータになる。